(57)【要約】【課題】トレイ１８を収納位置から作業位置まで引き出すと、トレイの両側枠の上縁に形成された前向き段差部３４が、上下動可能なストッパ２０に突き当たって、トレイ１８をそれ以上引き出せなくなるようになっている線路成端トレイユニットで、作業位置に引き出したトレイが作業中に押し込まれないようにする。【解決手段】トレイ１８の両側枠３２の上縁に、前記前向き段差部３４と対向するように後ろ向き段差部４０を形成すると共に、その後ろ向き段差部４０の頂部からトレイ１８の前端側に向かって徐々に高さが低くなるスロープ４２を形成した。トレイ１８を作業位置まで引き出すと、ストッパ２０のストップ片２６が前向き段差部３４と後ろ向き段差部４０の間に落ち込み、トレイ１８は引き出すことも押し込むこともできなくなる。【選択図】      図１
2004157485.tif 000002
【特許請求の範囲】
【請求項１】
複数枚のトレイと、これらのトレイを個々に引出し押込み可能に支持する枠体と、この枠体の上面と両側面に跨るように形成され、枠体に上下動可能に取り付けられたストッパとを備え、前記トレイを収納位置から作業位置まで引き出すと、トレイの両側枠の上縁に形成された前向き段差部が、前記ストッパの両側壁に内向きに形成された櫛歯に突き当たって、トレイをそれ以上引き出せなくなるようになっている線路成端トレイユニットにおいて、
前記トレイの両側枠の上縁に、前記前向き段差部と対向するように後ろ向き段差部を形成すると共に、その後ろ向き段差部の頂部からトレイの前端側に向かって徐々に高さが低くなるスロープを形成したことを特徴とする線路成端トレイユニット。
【請求項２】
請求項１記載の線路成端トレイユニットであって、前記枠体の上面とストッパの天板部との間にレバーを設置し、このレバーは上面の一部に前記天板部の下に潜り込んでストッパを持ち上げる傾斜面を有しており、前記レバーを、その傾斜面が天板部の下に潜り込まない位置と、潜り込む位置との間を往復させることで、ストッパを上下させるようになっていることを特徴とする線路成端トレイユニット。
【発明の詳細な説明】
【０００１】
【発明の属する技術分野】本発明は、光ケーブル主配線盤に用いられる線路成端トレイユニットに関するものである。
【０００２】
【従来の技術】光ケーブル主配線盤は、外部から局内に引き込まれた光ケーブルの光ファイバ心線と、局内装置側の光コードとを切替可能に接続するものである。図７にその具体例を示す。符号１０は線路成端トレイユニット、１２は局内装置側トレイユニット、１４はセンターコードトレイ、１６はこれらを収容するキャビネットである。
【０００３】線路成端トレイユニット１０は外部から引き込まれた光ケーブルの光ファイバ心線をコネクタで成端した部分を収容するものである。局内装置側トレイユニット１２は局内装置側の光コードをコネクタで成端した部分を収容するものである。センターコードトレイ１４は線路成端トレイユニット１０内のコネクタと局内装置側トレイユニット１２内のコネクタとを接続する両端コネクタ付きジャンパコードの中間部を支持するものである。
【０００４】従来の線路成端トレイユニット１０は、図８に示すように、多段に積層されたトレイ１８と、個々のトレイ１８を引出し押込み可能に支持する枠体２０と、この枠体２０の上面と両側面に跨るように形成され、その枠体２０に上下動可能に取り付けられたストッパとから構成されている。トレイ１８は図９（Ａ）〜（Ｄ）に示すような構造であり、枠体２０は図１０に示すような箱形のものである。ストッパ２２は図１１に示すように、天板部２３と両側壁２４とを備えた門形で、両側壁２４から内向きに櫛歯２６を突出させた構造である。またストッパ２２の両側壁２４には図８及び図１２（Ａ）に示すように上下方向に長穴２８が形成されており、ストッパ２２はこの長穴２８を貫通するピン３０により、枠体２０に上下動可能に取り付けられている。ストッパ２２は、上へ持ち上げる力を加えない限り、自重で下降位置にある。
【０００５】一方、トレイ１８の後端付近には、図１２（Ｂ）に示すように、両側枠３２の上縁に前向き段差部３４が形成されている。トレイ１８を作業位置まで引き出すと、この前向き段差部３４がストッパ２２の櫛歯２６に突き当たり、トレイ１８はそれ以上引き出せなくなる。トレイ１８を引き出した状態で、トレイ１８上でコネクタ切替などの作業を行なうのであるが、作業中にトレイ１８が押し込まれるのを防止するため、トレイ１８の両側面には係止部材３６が取り付けられている。トレイ１８上で作業を行なうときは、この係止部材３６を手指で起こしてから、作業を開始する。このようにすれば、トレイ１８は引出しも押込みも出来なくなるので、安定な状態で作業を行なうことができる。作業が終了したら、係止部材３６を手指で倒して、トレイ１８を収納位置まで押し込む。
【０００６】図１３は上記とは異なる従来の線路成端トレイユニットを示す。この線路成端トレイユニット１０は、作業位置まで引き出したトレイ１８に、図１４に示すような押込み防止用のバー３８を貫通させることにより、トレイ１８が押し込まれるのを防止するものである。それ以外の構成は図８ないし図１２に示した線路成端トレイユニットと同じであるので、同一部分には同一符号を付してある。
【０００７】
【発明が解決しようとする課題】従来の線路成端トレイユニットは、作業位置まで引き出したトレイが押し込まれるのを防止するために、係止部材を起こしたり、バーを挿入したりする操作が必要であり、面倒である。また係止部材の場合は、組立時にトレイに係止部材を組み付ける必要があり、部品点数が多くなり、組立も面倒である。またバーの場合は、トレイ上での作業を終了して、トレイを収納位置に押し込む際には、バーを引き抜いて別の場所に保管する必要があり、面倒である。
【０００８】本発明の目的は、以上のような問題点に鑑み、作業位置に引き出したトレイの押込み防止に係止部材やバーを必要としない線路成端トレイユニットを提供することにある。
【０００９】
【課題を解決するための手段】この目的を達成するため本発明は、複数枚のトレイと、これらのトレイを個々に引出し押込み可能に支持する枠体と、この枠体の上面と両側面に跨るように形成され、その枠体に上下動可能に取り付けられたストッパとを備え、前記トレイを収納位置から作業位置まで引き出すと、トレイの両側枠の上縁に形成された前向き段差部が、前記ストッパの両側壁に内向きに形成された櫛歯に突き当たって、トレイをそれ以上引き出せなくなるようになっている線路成端トレイユニットにおいて、前記トレイの両側枠の上縁に、前記前向き段差部と対向するように後ろ向き段差部を形成すると共に、その後ろ向き段差部の頂部からトレイの前端側に向かって徐々に高さが低くなるスロープを形成したことを特徴とするものである。
【００１０】また本発明の線路成端トレイユニットは、前記枠体の上面とストッパの天板部との間にレバーを設置し、このレバーは上面の一部に前記天板部の下に潜り込んでストッパを持ち上げる傾斜面を有しており、前記レバーを、その傾斜面が天板部の下に潜り込まない位置と、潜り込む位置との間を往復させることで、ストッパを上下させるようになっているものであることが好ましい。
【００１１】
【発明の実施の形態】以下、本発明の実施の形態を、図面を参照して詳細に説明する。
【００１２】図１は本発明の一実施形態を示す。図１（Ａ）、（Ｂ）は先に説明した図１２（Ａ）、（Ｂ）に対応する要部の拡大図である。この線路成端トレイユニット１０も、トレイ１８を収納位置から作業位置まで引き出すと、トレイ１８の両側枠３２の上縁に形成された前向き段差部３４が、ストッパ２２の櫛歯２６に突き当たって、トレイ１８をそれ以上引き出せなくなるようになっている点では従来のものと同じである。
【００１３】この線路成端トレイユニット１０の特徴は、前記トレイ１８の両側枠３２の上縁に、前記前向き段差部３４と対向するように後ろ向き段差部４０を形成すると共に、その後ろ向き段差部４０の頂部からトレイ１８の前端側に向かって徐々に高さが低くなるスロープ４２を形成したことである。
【００１４】このような構成にすると、トレイ１８を収納位置から作業位置まで引き出すときは、トレイ１８の引出しに伴い、ストッパ２２がスロープ４２によって押し上げられ、トレイ１８が作業位置まで引き出されると、ストッパ２２の櫛歯２６が前向き段差部３４と後ろ向き段差部４０の間に落ち込む（ストッパ２２が下降する）。このためトレイ１８はそれ以上引き出せなくなる。またその後、トレイ１８に押込み力がかかった場合には、後ろ向き段差部４０がストッパ２２の櫛歯２６に突き当たるため、押し込まれることもない。
【００１５】このように作業位置に引き出したトレイ１８は引出しも押込みもできなくなるので、安定して作業を行なうことができる。作業終了後にトレイ１８を押し込むときは、ストッパ２２を持ち上げれば、櫛歯２６が前向き段差部３４と後ろ向き段差部４０の間から抜け出すので、押込みが可能となる。ストッパ２２はトレイ１８を少し押し込んだ後、解放すれば自重で下降するので、そのままトレイ１８を収納位置まで押し込むことができる。
【００１６】なお図面では、スロープ４２が徐々に高さが低くなるように直線的に形成されている場合を示したが、スロープ４２は徐々に高さが低くなればよいので、曲線的に形成されていてもよい。
【００１７】図２ないし図６は本発明の他の実施形態を示す。この実施形態はストッパ２２の持上げ（解除）を簡単に行えるようにするものである。図２ないし図６において、先に説明した図１及び図７ないし図１４と同一部分には同一符号を付してあるので重複する説明は省略する。図２及び図３ではトレイの図示を省略してあるが、トレイは図１と同じ構造である。
【００１８】この線路成端トレイユニットでは、枠体２０の上面とストッパ２２の天板部２３との間に、枠体２０上の支点４４を中心として回動可能なレバー４６が設置されている。レバー４６は図５に示すように略十字形で、両翼部４６ａ、４６ｂの先端部上面に傾斜面４８が設けられている。レバー４６は、図２に示すように両翼部４６ａ、４６ｂがストッパ２２の天板部２３の下に位置し、基部４６ｃが前記支点４４で支持され、先端部４６ｄが枠体２０の前面から突出するように、枠体２０の上面に設置されている。ストッパ２２の天板部２３には、レバー４６が図２の位置にあるときに、レバー４６の傾斜面４８が入る開口５０が形成されている。図２（Ａ）の状態からレバー４６を反時計回りに回動させると図３のように傾斜面４８が天板部２３の下に潜り込むため、ストッパ２２が持ち上がることになる。
【００１９】レバー４６は常に引張りバネ５２により引き寄せられており、外力が加わらない限り、第一の位置決め部材５４に突き当たって、図２の位置にある。図２の状態はストッパ２２が自重で下降している状態、すなわち図１のようにストッパが作動して、引き出したトレイ１８を押し込めない状態である。引き出したトレイ１８上での作業を終え、同トレイ１８を押し込むときは、レバー４６を図２の位置から反時計方向に第二の位置決め部材５６に突き当たるまで回動させる。すると、傾斜面４８がストッパの天板部２３の下に潜り込むため、ストッパ２２が持ち上げられる。その結果、図１の櫛歯２６が前向き段差部３４と後ろ向き段差部４０の間から抜け出し（ストッパが解除され）、同トレイ１８を押し込めるようになる。同トレイ１８を少し押し込んだ後、レバー４６を解放すると、レバー４６は引張りバネ５２に引き寄せられて図２の位置に戻る。したがって同トレイ１８をそのまま押し込んでいけば、ストッパ２２は自重で下降し、ストッパ作動位置に戻る。
【００２０】このように、この実施形態によれば、レバー４６を回動させることで、作動位置（下降位置）にあるストッパ２２を簡単に解除位置（上昇位置）まで持ち上げることができ、ストッパ２２の解除を簡単に効率よく行なうことができる。
【００２１】なお図面では、傾斜面４８がレバー４６の上面から徐々に高さが高くなる平面である場合を示したが、傾斜面４８はレバー４６の上面から徐々に高さが高くなる曲面であってもよい。
【００２２】
【発明の効果】以上説明したように本発明によれば、押込み防止用の係止部材やバーを用いることなく、かつ押込み防止のための操作をすることなく、作業位置まで引き出されたトレイを押し込めないようにすることができる。またストッパ持上げ用の傾斜面を有するレバーを設けることにより、ストッパの解除を簡単に効率よく行なうことができる。
【図面の簡単な説明】
【図１】本発明に係る線路成端トレイユニットの一実施形態を示す、（Ａ）は要部の側面図、（Ｂ）は要部の拡大側面図。
【図２】本発明に係る線路成端トレイユニットの他の実施形態の、ストッパが作動位置にあるときの状態を示す、（Ａ）は平面図、（Ｂ）は正面図、（Ｃ）は側面図。
【図３】図２の線路成端トレイユニットの、ストッパを解除したときの状態を示す、（Ａ）は平面図、（Ｂ）は正面図、（Ｃ）は側面図。
【図４】図２の線路成端トレイユニットに用いた枠体を示す、（Ａ）は平面図、（Ｂ）は正面図、（Ｃ）は側面図。
【図５】図２の線路成端トレイユニットに用いたレバーを示す、（Ａ）は平面図、（Ｂ）は正面図、（Ｃ）は側面図。
【図６】図２の線路成端トレイユニットに用いたストッパを示す、（Ａ）は平面図、（Ｂ）は正面図、（Ｃ）は側面図。
【図７】線路成端トレイユニットを備えた光ケーブル主配線盤を、（Ａ）は扉を開いた状態で示す正面図、（Ｂ）は扉を閉じた状態で示す正面図。
【図８】従来の線路成端トレイユニットの一例を示す側面図。
【図９】図８の線路成端トレイユニットのトレイを示す、（Ａ）は平面図、（Ｂ）は正面図、（Ｃ）は右側面図、（Ｄ）は左側面図。
【図１０】図８の線路成端トレイユニットの枠体を示す正面図。
【図１１】図８の線路成端トレイユニットのストッパを示す正面図。
【図１２】図８の線路成端トレイユニットの要部を示す、（Ａ）は側面図、（Ｂ）は拡大側面図。
【図１３】従来の線路成端トレイユニットの他の例を示す側面図。
【図１４】図１３の線路成端トレイユニットに用いる押込み防止バーを示す、（Ａ）は正面図、（Ｂ）は側面図。
【符号の説明】
１０：線路成端トレイユニット
１８：トレイ
２０：枠体
２２：ストッパ
２６：櫛歯
２８：長穴
３４：前向き段差部
４０：後ろ向き段差部
４２：スロープ
４６：レバー
４８：傾斜面
５０：開口
５２：引張りバネ
【図１】
2004157485.tif 000003
【図２】
2004157485.tif 000004
【図３】
2004157485.tif 000005
【図４】
2004157485.tif 000006
【図５】
2004157485.tif 000007
【図６】
2004157485.tif 000008
【図７】
2004157485.tif 000009
【図８】
2004157485.tif 000010
【図９】
2004157485.tif 000011
【図１０】
2004157485.tif 000012
【図１１】
2004157485.tif 000013
【図１２】
2004157485.tif 000014
【図１３】
2004157485.tif 000015
【図１４】
2004157485.tif 000016